(57)【要約】【課題】ふくらはぎなどの引き締め（シェイプアップ）を行う。【解決手段】足の指先が挿入される指先挿入部２と、指先挿入部から踵Ａに向けて延びる踵被装着部３と、指先挿入部から足首に向けて延びる足首被装着部４とを備え、踵被装着部には踵に係止される踵係止部３ａが形成され、足首被装着部には足首に係止される足首係止部４ａと、足首係止部及び指先挿入部間を相互に弾性的に連結して装着した際につま先がくるぶしを中心として上方に屈曲させられる方向に付勢する足付勢部４ｂとが形成され、踵被装着部には踵から足の甲付近に至る足の外周面をほぼ取り囲むように沿って配置される足外周面保持部３ｂが形成され、踵被装着部の踵係止部及び足外周面保持部、足首被装着部が伸縮性のある布地により形成され、指先挿入部には足の指の少なくとも１つが挿入されて係合される指係合部（縫い目）２ａが形成されている。【選択図】図３
2006225802.tif 000002
【特許請求の範囲】
【請求項１】
足の指先が挿入される指先挿入部と、当該指先挿入部から踵に向けて延びる踵被装着部と、前記指先挿入部から足首に向けて延びる足首被装着部とを備え、前記踵被装着部には、踵に係止される踵係止部が形成され、前記足首被装着部には、足首に係止される足首係止部と、当該足首係止部及び前記指先挿入部間を相互に弾性的に連結し装着した際につま先がくるぶしを中心として上方に屈曲させられる方向に付勢する足付勢部とが形成されていることを特徴とするふくらはぎ引締め具。
【請求項２】
前記踵被装着部には踵から足の甲付近に至る足の外周面の一部をほぼ取り囲むように沿って配置される足外周面保持部が形成されていることを特徴とする請求項１記載のふくらはぎ引締め具。
【請求項３】
前記踵被装着部の踵係止部及び足外周面保持部、前記足首被装着部が伸縮性のある布地により形成されていることを特徴とする請求項１記載のふくらはぎ引締め具。
【請求項４】
前記指先挿入部には、足の指の少なくとも１つが挿入されて係合する指係合部が形成されていることを特徴とする請求項１記載のふくらはぎ引締め具。
【請求項５】
前記指係合部が挿入した指間に位置する縫い目からなることを特徴とする請求項４記載のふくらはぎ引締め具。
【請求項６】
前記足首被装着部の一部には、前記足付勢部による付勢力を調整する付勢力調整部が形成されていることを特徴とする請求項１記載のふくらはぎ引締め具。
【請求項７】
前記付勢力調整部が前記足首係止部に形成されていることを特徴とする請求項６記載のふくらはぎ引締め具。
【請求項８】
前記踵係止部が踵の少なくとも一部が露出させられて踵に係止される切れ込み部からなることを特徴とする請求項１記載のふくらはぎ引締め具。
【請求項９】
前記踵係止部が踵のほぼ全体を覆って踵に係止される踵覆い部からなることを特徴とする請求項１記載のふくらはぎ引締め具。
【請求項１０】
足及び脚が挿入されるほぼ筒状の筒状体を備え、この筒状体の足部に相当する位置の表側又は裏側に前記請求項１〜９のいずれかに記載のふくらはぎ引締め具が形成されていることを特徴とする脚用衣類。
【請求項１１】
足及び脚が挿入されるほぼ筒状の筒状体を備え、この筒状体のくるぶし付近に相当する位置に筒状体に挿入した際につま先がくるぶしを中心として上方に屈曲させられる方向に付勢する足付勢部が形成されていることを特徴とする脚用衣類。
【請求項１２】
前記筒状体のくるぶし付近に相当する位置には、くるぶしに相当する位置付近で折り曲げられた屈曲部が形成され、当該屈曲部には前記筒状体に挿入した際につま先がくるぶしを中心として上方に屈曲させられる方向に付勢する前記足付勢部が形成されていることを特徴とする請求項１１記載の脚用衣類。
【請求項１３】
前記屈曲部の屈曲内側につま先がくるぶしを中心として上方に屈曲させられる方向に付勢する帯状の弾性部材が取り付けられていることを特徴とする請求項１１又は１２記載の脚用衣類。
【発明の詳細な説明】
【技術分野】
【０００１】
本発明は、脚に装着して歩行などの運動をすることによりふくらはぎなどの筋肉のトレーニングができ、ふくらはぎなどの引き締め（シェイプアップ）ができるふくらはぎ引締め具及び脚用衣類に関する。
【背景技術】
【０００２】
脚のふくらはぎなどの引き締め（シェイプアップ）を行うには、例えばつま先立ちする等の運動をして、自らふくらはぎの筋肉に負荷をかける必要があり、このため各種のウォーキング法も考案されている。
【発明の開示】
【発明が解決しようとする課題】
【０００３】
しかしながら、自らふくらはぎの筋肉に負荷をかける運動をしなければならず、適切な方法でのワーキング法を継続することができず、足の筋力トレーニング、特にふくらはぎの引き締めトレーニングを効果的に行うことができなかった。
【０００４】
本発明はかかる事情に鑑みてなされたもので、足の筋力トレーニング、特にふくらはぎの引き締めトレーニングを効果的に行うことができるふくらはぎ引締め具及び脚用衣類を提供することを目的とする。
【課題を解決するための手段】
【０００５】
（１）足の指先が挿入される指先挿入部と、当該指先挿入部から踵に向けて延びる踵被装着部と、前記指先挿入部から足首に向けて延びる足首被装着部とを備え、前記踵被装着部には、踵に係止される踵係止部が形成され、前記足首被装着部には、足首に係止される足首係止部と、当該足首係止部及び前記指先挿入部間を相互に弾性的に連結し装着した際につま先がくるぶしを中心として上方に屈曲させられる方向に付勢する足付勢部とが形成されている。
（２）前記踵被装着部には踵から足の甲付近に至る足の外周面の一部をほぼ取り囲むように沿って配置される足外周面保持部が形成されている。
（３）前記踵被装着部の踵係止部及び足外周面保持部、前記足首被装着部が伸縮性のある布地により形成されている。
（４）前記指先挿入部には、足の指の少なくとも１つが挿入されて係合する指係合部が形成されている。
（５）前記指係合部が挿入した指間に位置する縫い目からなる。
（６）前記足首被装着部の一部には、前記足付勢部による付勢力を調整する付勢力調整部が形成されている。
（７）前記付勢力調整部が前記足首係止部に形成されている。
（８）前記踵係止部が踵の少なくとも一部が露出させられて踵に係止される切れ込み部からなる。
（９）前記踵係止部が踵のほぼ全体を覆って踵に係止される踵覆い部からなる。
（１０）足及び脚が挿入されるほぼ筒状の筒状体を備え、この筒状体の足部に相当する位置の表側又は裏側に前記ふくらはぎ引締め具のいずれかが形成されている。
（１１）足及び脚が挿入されるほぼ筒状の筒状体を備え、この筒状体のくるぶし付近に相当する位置に筒状体に挿入した際につま先がくるぶしを中心として上方に屈曲させられる方向に付勢する足付勢部が形成されている。
（１２）前記筒状体のくるぶし付近に相当する位置には、くるぶしに相当する位置付近で折り曲げられた屈曲部が形成され、当該屈曲部には前記筒状体に挿入した際につま先がくるぶしを中心として上方に屈曲させられる方向に付勢する前記足付勢部が形成されている。
（１３）前記屈曲部の屈曲内側につま先がくるぶしを中心として上方に屈曲させられる方向に付勢する帯状の弾性部材が取り付けられている。
【発明の効果】
【０００６】
（１）指先挿入部に指を挿入し踵被装着部を踵に装着し足首被装着部を足首に装着すると、足付勢部によりつま先がくるぶしを中心として上方に屈曲させられる方向に付勢され、歩行運動などをするとこの付勢力に対抗してふくらはぎなどの筋肉に負荷がかかり、ふくらはぎなどの筋力のトレーニングがなされ、ふくらはぎなどの引き締め（シェイプアップ）がなされる。
（２）踵被装着部により踵から足の甲までの保持が確実になる。
（３）伸縮性のある布地により適度な付勢力が得られる。
（４）指係合部により付勢力の作用によるずれ上がりが防止・抑制される。
（５）縫い目という簡単な構造でずれ上がりを防止・抑制できる。
（６）付勢力調整部により付勢力が調整でき、各人に応じた筋力トレーニングが行える。
（７）足首係止部に形成された付勢力調整部により付勢力が調整される。
（８）切れ込み部により確実に踵が係止される。
（９）踵覆い部により踵の略全体が覆われ、踵の確実なサポートがされ、しかも踵が露出しないので見栄えもよい。
（１０）筒状体（例えばストッキングやパンティーストッキングなどの脚用衣類）にふくらはぎなどの筋肉トレーニング機能が持たせられる。
（１１）筒状体に形成された足付勢部によりつま先がくるぶしを中心として上方に屈曲させられ、ふくらはぎなどの筋肉トレーニングが行える。
（１２）屈曲部に形成した足付勢部によりふくらはぎなどの筋肉トレーニングが行える。
（１３）屈曲部に設けた弾性部材により更に効果的にふくらはぎなどの筋肉トレーニングが行える。
【発明を実施するための最良の形態】
【０００７】
本発明の実施の形態に係るふくらはぎ引締め具について、図面を参照して説明する。
【０００８】
図１及び図２に本発明の実施の一形態に係るふくらはぎ引締め具１を示す。このふくらはぎ引締め具１は、足の指先が挿入される袋状の指先挿入部２と、この指先挿入部２の下縁から踵に向けて延びる踵被装着部３と、指先挿入部２の上縁から足首に向けて延びる足首被装着部４とを備えて概略構成される。
【０００９】
踵被装着部３には、踵に係止される踵係止部（切れ込み部）３ａが形成され、足首被装着部４には、足首に係止される足首係止部４ａと、この足首係止部４ａ及び指先挿入部２間を相互に弾性的に連結する帯状の足付勢部４ｂが形成され、この足付勢部４ｂによりふくらはぎ引締め具１を装着した際につま先がくるぶしを中心として上方に屈曲させられる方向に付勢される。
【００１０】
踵被装着部３には、踵から足の甲付近に至る足の外周面の一部（くるぶし部分）をほぼ１周取り囲むように沿って配置される足外周面保持部３ｂが形成されている。踵被装着部３の踵係止部３ａや足外周面保持部３ｂは伸縮性のある布地（例えば、ゴム編み地）により形成され、足首被装着部４も同様に伸縮性のある布地により形成されている。
【００１１】
指先挿入部２には、足の指の少なくとも１つが挿入されて係合する指係合部（縫い目）２ａが形成されている。この縫い目２ａは、指先挿入部２に指を挿入した際に指間に位置する縫い目であり、指先挿入部２の上下の布地を縫製して形成したものである。図示したものでは、指のつけ根から指先に至るまで１本の縫い目で縫い合わせたものを示したが、指のつけ根に相当する部分にかがり目を形成しこのかがり目に指の付け根を係合させるものでもよい。
【００１２】
なお、上記実施の形態では、足首被装着部４の足首係止部４ａは切れ込みを取り囲むようにループ状形状をしており、足付勢部４ｂの付勢力の調整は意図していないが、この足首係止部４ａのループ部の後側にマジックテープ（登録商標）やフックなどを設けて足付勢部４ｂの伸縮量を調整して付勢力を調整できるようにしてもよい。これらのマジックテープ（登録商標）やフックは、本発明の足付勢部４ｂによる付勢力を調整する付勢力調整部を構成する。
【００１３】
本実施の形態のふくらはぎ引締め具では、図２に示すように、踵被装着部３の足外周面保持部３ｂの中を通して足首被装着部４を後方にもたらすようにしているが、足外周面保持部３ｂの上面に足首被装着部４を重合させて配置してもよく、重合部を相互に縫い合わせるようにしてもよい。
【００１４】
また、本実施の形態のふくらはぎ引締め具では、足首被装着部４の足首係止部４ａは同一の布地などにより形成したが、足首の後面に接する部分を柔らかい素材で置き換えるようにしてもよい。
【００１５】
また、ソックスやストッキングの略筒状の本体（筒状部）に上述したふくらはぎ引締め具１を、その足部に相当する位置の表側又は裏側に縫い込んだり若しくは編み込んだりしたものでもよい。
【００１６】
次に、上述の実施の一形態に係るふくらはぎ引締め具１の使用方法について説明する。図２に示すように、踵被装着部３の足外周面保持部３ｂにより形成されたループ部内に、足首被装着部４の足首係止部４ａ及び足付勢部４ｂを挿入した状態とする。
【００１７】
この状態において、図３〜図５に示すように、足の指を指先挿入部２内に挿入し、足首被装着部４の足首係止部４ａにより形成されたループ部内に、足Ｄを挿入して足首係止部４ａが足首の周りに配置されるようにする。さらに、踵被装着部３の足外周面保持部３ｂにより形成されたループ部内に踵から足の甲に至る外周部分が配置されるように足Ｄを挿入するとともに、踵係止部（切れ込み部）３ａに踵Ａを挿入する。これにより、本実施の一形態のふくらはぎ引締め具１の足への装着が完了する。
【００１８】
このように、ふくらはぎ引締め具１を装着した際には、足付勢部４ｂにより足ＤはくるぶしＢを中心としてつま先が図３の上方に屈曲させられる方向に負荷（荷重）がかかる。したがって、ふくらはぎ引締め具１を取り付ける以前の通常の状態に足を戻すためには、足付勢部４ｂの付勢力に反してくるぶしを中心にしてつま先を下げるようにしなければならない。この下げる動作を行うために、ふくらはぎの筋肉を収縮させなければならないので、ふくらはぎ引締め具１を装着して歩行するなどの運動をすると、ふくらはぎの筋肉トレーニングが行われる。かかる筋肉トレーニングの結果、ふくらはぎの引き締め（シェイプアップ）が達成される。
【００１９】
図６に本発明の実施の他の形態に係るふくらはぎ引締め具１０を足に装着した状態を示す。このものは、図３に示すふくらはぎ引締め具１とほぼ同様な構造であり、同一の要素には同一符号を付する。ふくらはぎ引締め具１との違いは、踵係止部３ａ及び足外周面保持部３ｂの代わりにこれらを兼ねる帯状部材１３を設けた点にある。この帯状部材１３は、踵のほぼ全体を覆いうように幅広に形成した踵係止部（踵覆い部）１３ａと、足の外周面を取り囲むように配置される足外周面保持部１３ｂとが１本の帯びとして構成されたものである。このものでは、帯状部材１３の踵係止部１３ａが踵の略全体を覆うので係止が確実になるとともに踵が露出しないので見栄えもよい。
【００２０】
図７に本発明の実施の更に他の形態に係るふくらはぎ引締め具２０を示す。このものは、図３に示すふくらはぎ引締め具１とほぼ同様な構造であり、同一の要素には同一符号を付する。ふくらはぎ引締め具１との違いは、足首被装着部４の代わりに１本の伸縮性のある布地からなる帯状部材（足首被装着部）２４を相互に交差するように設けた点にある。この帯状部材２４は、足首係止部２４ａと、つま先がくるぶしを中心に上方に屈曲させられる方向に付勢する足付勢部２４ｂとが１本の帯びとして構成されたものである。このものでは、帯状部材２４の足首係止部２４ａが足首に巻き付くので、足首への高いフィット感が得られる。
【００２１】
図８に本発明の更に他の形態に係るふくらはぎ引締め具３０を示す。このものは、図３に示すふくらはぎ引締め具１とほぼ同様な構造であり、同一の要素には同一符号を付する。ふくらはぎ引締め具１との違いは、足首被装着部４の足付勢部４ｂがほぼ同一幅を有しているのに対して、足首被装着部３４の足付勢部３４ｂを漸次幅が減少する形状いわゆる台形形状にしたものである。このものでは、足首被装着部３４の足付勢部３４ｂによる付勢力をバランスよく足首などに分散して作用させることができ、ふくらはぎ引締め具３０のずれ落ちの低減や足への均等な付勢力の付与などがなされる。
【００２２】
図９に本発明の更に他の形態に係るふくらはぎ引締め具４０を示す。このものは、図３に示すふくらはぎ引締め具１とほぼ同様な構造であり、同一の要素には同一符号を付する。ふくらはぎ引締め具１との違いは、足首被装着部４が伸縮性のある１つの布地の一端に切れ込み部を形成して足首係止部（切れ込み部）４ａを形成していたのに対して、足首被装着部４４を、それぞれ伸縮性のある布地で形成されたリング状の足首係止部４４ａと、これに縫製などにより一体化されたほぼ同一幅の伸縮性のある布地からなる足付勢部４４ｂとから構成したものである。このものでは、足首被装着部４４の足付勢部４４ｂがほぼ同一幅を有したままで、足首係止部４４ａのところまでもたらされるので、強い付勢力が得られ、リング状の足首係止部４４ａにより足首への高いフィット感が得られる。
【００２３】
図１０及び図１１に、上述の各ふくらはぎ引締め具と同様なふくらはぎの筋肉トレーニングを行うことができる脚用衣類（パンティーストッキング）を示す。
【００２４】
このパンティーストッキング５０は、足及び脚が挿入されるほぼ筒状のパンティーストッキング本体（筒状体）５１を備えている。このパンティーストッキング本体５１のくるぶしに相当する位置（図中で点線で示す部分）５３には、図１１に示すように、上方に折り曲げられた屈曲部５４が形成されている。当該位置５３には他の部分よりも伸縮性の高い生地が使用され、この屈曲部５４は、脚をパンティーストッキング本体５１に挿入した際につま先がくるぶしを中心として上方に屈曲させられる方向に付勢する足付勢部として機能する。なお、パンティーストッキング本体５１の先端には指が挿入される指先挿入部５２が形成され、指先挿入部５２には指が挿入される指係合部５２ａが形成されている。
【００２５】
この場合において、伸縮性の高い生地を使用する部分は少なくともくるぶしの部分を超える部分まであればよく、それよりも上の部分にも使用してもよい。また、パンティーストッキング本体５１に屈曲部５４を形成するようにしているが、屈曲部が無いストレート形状のものであってもよい。
【００２６】
このものでも、上述のふくらはぎ引締め具と同様に、パンティーストッキング５０を装着した際には、足付勢部を構成する屈曲部４４により足はくるぶしを中心としてつま先が上方に屈曲させられる方向に負荷（荷重）がかかり、パンティーストッキング５０を装着する前の通常の状態に足を戻すためには、足付勢部４４の付勢力に反してくるぶしを中心にしてつま先を下げなければならず、足のふくらはぎの筋肉が収縮させられ、パンティーストッキング５０を装着して歩行するなどの運動をすると、足のふくらはぎの筋肉トレーニングが行われ、ふくらはぎの引き締め（シェイプアップ）が達成される。
【００２７】
図１２に、上述の各ふくらはぎ引締め具と同様なふくらはぎの筋肉トレーニングを行うことができる脚用衣類（ストッキング・靴下など）を示す。このものは、図１０及び図１１におけるくるぶしに相当する部分を有した脚用衣類（ストッキング）６０である。このストッキング６０は、足が挿入されるほぼ筒状のストッキング本体（筒状体）６１を備え、このストッキング本体５１のくるぶしに相当する位置（図中で点線で示す部分）６３には、同図（ａ）に示すように、上方に折り曲げられた屈曲部６４が形成されている。当該位置６３には他の部分よりも伸縮性の高い生地が使用され、この屈曲部６４は、足をストッキング本体６１に挿入した際につま先がくるぶしを中心として上方に屈曲させられる方向に付勢する足付勢部として機能する。ストッキング本体６１の先端には指が挿入される指先挿入部６２が形成され、指先挿入部６２には指が挿入される指係合部６２aが形成されている。このものでも、同様に本ストッキング６０を装着して歩行するなどの運動をすると、足のふくらはぎの筋肉トレーニングが行われ、ふくらはぎの引き締め（シェイプアップ）が達成される。
【００２８】
図１３に、上述の各ふくらはぎ引締め具と同様なふくらはぎの筋肉トレーニングを行うことができる脚用衣類（ストッキング・靴下など）７０を示す。このストッキング７０は、上述のストッキング６０とほぼ同様な構造であり、同一の要素には同一符号を付する。ストッキング６０との違いは、ストッキング７０の屈曲部６４の屈曲内側に、つま先がくるぶしを中心として上方に屈曲させられる方向に付勢する帯状の弾性部材７５が付加されたものである。このものでも、同様にストッキング７０を装着して歩行するなどの運動をすると、屈曲部６４及び弾性部材７５の付勢力により足のふくらはぎの筋肉トレーニングが行われ、ふくらはぎの引き締め（シェイプアップ）が達成される。
【００２９】
弾性部材７５としては伸縮性の高い生地を用いることが好ましいが、弾性力を発揮させることができるものであれば適宜の材料（バネ鋼やプラスチックなど）により形成されたものを使用することができる。
【００３０】
なお、上述のパンティーストッキング５０やストッキング６０，７０では、パンティーストッキング本体５１やストッキング本体６１に、脚をパンティーストッキング本体５１又はストッキング本体６１に挿入した際につま先がくるぶしを中心として上方に屈曲させられる方向に付勢する足付勢部として機能する部分が設けられているが、このような足付勢部として機能する部分が無い通常のパンティーストッキングやストッキングに、足の甲に相当する部分につま先がくるぶしを中心として上方に屈曲させられる方向に付勢する帯状の弾性部材を付加したものでもよい。この場合、当該弾性部材を足首に相当する部分まで延長し延長部分をリング体として足首を取り囲むようにしてもよい。
【００３１】
さらに、この弾性部材の他に、リング状の他の弾性部材を土踏まずから足の甲に相当する部分を１周取り囲むように配置してもよい。この場合、リング状の他の弾性部材は縫製などによりパンティーストッキング本体５１やストッキング本体６１と一体化されるが、足の甲に配置された弾性部材と交差する部分では、甲に配置された弾性部材とリング状の他の弾性部材とを縫い合わせず、甲に配置された弾性部材の伸縮が阻害されないものでもよい。一方、交差する部分において相互に縫い合わせたものでもよい。
【図面の簡単な説明】
【００３２】
【図１】本発明の実施の一形態に係るふくらはぎ引締め具を示す図である。
【図２】本発明の実施の一形態に係るふくらはぎ引締め具を示す図である。
【図３】本発明の実施の一形態に係るふくらはぎ引締め具を足に装着した状態を示す図である。
【図４】本発明の実施の一形態に係るふくらはぎ引締め具を足に装着した状態を示す図である。
【図５】本発明の実施の一形態に係るふくらはぎ引締め具を足に装着した状態を示す図である。
【図６】本発明の実施の他の形態に係るふくらはぎ引締め具を示す図である。
【図７】本発明の実施の更に他の形態に係るふくらはぎ引締め具を示す図である。
【図８】本発明の実施の更に他の形態に係るふくらはぎ引締め具を示す図である。
【図９】本発明の実施の更に他の形態に係るふくらはぎ引締め具を示す図である。
【図１０】本発明の実施の一形態に係る脚用衣類を示す図である。
【図１１】本発明の実施の一形態に係る脚用衣類を示す図である。
【図１２】本発明の実施の他の形態に係る脚用衣類を示す図である。
【図１３】本発明の実施の更に他の形態に係る脚用衣類を示す図である。
【符号の説明】
【００３３】
１，１０，２０，３０，４０    ふくらはぎ引締め具
２    指先挿入部
２ａ  指係合部（縫い目）
３，１３    踵装着部
３ａ，１３ａ  踵係止部
３ｂ，１３ｂ  足外周面保持部
４，２４，３４，４４    足首装着部
４ａ，２４ａ，３４ａ，４４ａ  足首係止部
４ｂ，２４ｂ，３４ｂ，４４ｂ  足付勢部
５０  パンティーストッキング（脚用衣類）
５１  パンティーストッキング本体（筒状体）
５２  指先挿入部
５２ａ  指係合部
５３  くるぶしに相当する部分
５４  屈曲部
６０，７０  ストッキング（脚用衣類）
６１  ストッキング本体（筒状体）
６２  指先挿入部
６２ａ  指係合部
６３  屈曲部
７５  弾性部材
【図１】
2006225802.tif 000003
【図２】
2006225802.tif 000004
【図３】
2006225802.tif 000005
【図４】
2006225802.tif 000006
【図５】
2006225802.tif 000007
【図６】
2006225802.tif 000008
【図７】
2006225802.tif 000009
【図８】
2006225802.tif 000010
【図９】
2006225802.tif 000011
【図１０】
2006225802.tif 000012
【図１１】
2006225802.tif 000013
【図１２】
2006225802.tif 000014
【図１３】
2006225802.tif 000015